(57)【要約】【課題】暗所での使用や視力の弱い人の使用において、差込口にプラグを容易かつ安全に挿入できるガイド機構をそなえたコンセントを提供する。【解決手段】壁面に固定される枠体（１）と、枠体中央の差込口設置板（２）と、差込口設置板上に開口した２極差込口である一対の挿入孔（４）とを備えたコンセント（１０）において、プラグ（２０）の栓刃（２１）を挿入孔（４）へ誘導するべく、枠体上に突設された一対のガイドレール（５）と差込口設置板（２）に穿設された一対のガイド溝（６）とを有し、一対のガイドレール（５）は、枠体端部（１ｂ、１ｃ）の左右端近傍から差込口設置板（２）の端部へ向かって間隔が漸次狭くなっており、一対のガイド溝（６）は、一対の挿入孔（４）の上下方向延長線上に位置しかつ一対のガイドレール（５）の各々の内側の壁面（５ａ）と連続する壁面（６ａ）を具備する。【選択図】図１
0003141674.tif 000002
【実用新案登録請求の範囲】
【請求項１】
壁面に固定される枠体（１）と、前記枠体の中央開口に嵌め込まれた差込口設置板（２）と、前記差込口設置板上に開口した２極差込口である少なくとも一対の挿入孔（４）とを備えたコンセント（１０）において、
プラグ（２０）の一対の栓刃（２１）を前記一対の挿入孔（４）へ誘導するべく、前記枠体上に突設された一対のガイドレール（５）と前記差込口設置板（２）に穿設された一対のガイド溝（６）とを有し、
前記一対のガイドレール（５）は、前記枠体の上端（１ｂ）又は下端（１ｃ）の左右端近傍から前記差込口設置板（２）の上端又は下端へ向かって延在しかつ互いの間隔が漸次狭くなるように設けられ、
前記一対のガイド溝（６）の各々は、前記一対の挿入孔（４）の各々の上下方向延長線上に位置しかつ前記一対のガイドレール（５）の各々の内側の壁面（５ａ）と連続する壁面（６ａ）を具備することを特徴とするガイド付コンセント。
【請求項２】
壁面に固定される枠体（１）と、前記枠体の中央開口に嵌め込まれた差込口設置板（２）と、前記差込口設置板上に開口した２極差込口である少なくとも一対の挿入孔（４）とを備えたコンセント（１０）において、
プラグ（２０）の一対の栓刃（２１）を前記一対の挿入孔（４）へ誘導するべく、前記枠体上に突設された１つのガイド突起（７）と前記差込口設置板（２）に穿設された一対のガイド溝（６）とを有し、
前記ガイド突起（７）は、前記枠体の上端（１ｂ）又は下端（１ｃ）の中央から前記差込口設置板（２）の上端又は下端の中央へ向かって延在しかつその幅が漸次広くなるように設けられ、
前記一対のガイド溝（６）の各々は、前記一対の挿入孔（４）の各々の上下方向延長線上に位置しかつ前記ガイド突起の側壁面（７ａ）と連続する壁面（６ａ）を具備することを特徴とするガイド付コンセント。
【考案の詳細な説明】
【技術分野】
【０００１】  本考案は、壁などに設置され、２極差込口を備えたコンセントに関し、特に、プラグを容易かつ安全に差込口に挿入するためのガイド機構を備えたガイド付コンセントに関する。
【背景技術】
【０００２】  従来の一般的なコンセントは、例えば、２個口のコンセントの場合、上下方向に所定の間隔で２つの２極差込口が配置されている。２極差込口は、一対の縦長の挿入孔を平行に並べたものである。これら一対の挿入孔に、プラグの一対の栓刃を挿入することにより、電気的に接続されて電力供給が行われる。
【考案の開示】
【考案が解決しようとする課題】
【０００３】  従来のコンセントにプラグを挿入する際は、通常、差込口の位置を目で確認して行っている。しかしながら、周囲が暗い場合や視力の弱い人の場合、差込口の位置を視認することが困難でなかなか挿入できず、また、指先で位置を探りながら挿入しようとすると感電の危険性もある。
さらに、最近では、省エネルギーの観点から、電源コードをコンセントから抜いておくことも推奨されており、プラグを抜き差しする機会も増えてきている。【０００４】  本考案は、上記の現状に鑑み、暗所で使用する場合や視力の弱い人が使用する場合であっても、差込口に対してプラグを容易かつ安全に挿入できるガイド機構をそなえたコンセントを提供することを目的とする。
【課題を解決するための手段】
【０００５】  上記の目的を解決する、本考案によるガイド付コンセントは、以下の構成を備えたものである。括弧中の数字は、後述する図面中の符号であり、参考のために付している。【０００６】  第１の形態では、ガイド付コンセント（１０）が、壁面に固定される枠体（１）と、この枠体の中央開口に嵌め込まれた差込口設置板（２）と、この差込口設置板上に開口した２極差込口である少なくとも一対の挿入孔（４）とを備えている。枠体上には一対のガイドレール（５）が突設され、差込口設置板（２）には一対のガイド溝（６）が穿設されている。一対のガイドレールと一対のガイド溝は、プラグ（２０）の一対の栓刃（２１）を一対の挿入孔（４）へ誘導するために設けられている。
一対のガイドレール（５）は、枠体の上端（１ｂ）又は下端（１ｃ）の左右端近傍から差込口設置板（２）の上端又は下端へ向かって延在しかつ互いの間隔が漸次狭くなるように設けられている。
一対のガイド溝（６）の各々は、一対の挿入孔（４）の各々の上下方向延長線上に位置しかつ一対のガイドレール（５）の各々の内側の壁面（５ａ）と連続する壁面（６ａ）を具備する。【０００７】  第２の形態では、ガイド付コンセント（１０）が、壁面に固定される枠体（１）と、この枠体の中央開口に嵌め込まれた差込口設置板（２）と、この差込口設置板上に開口した２極差込口である少なくとも一対の挿入孔（４）とを備えている。枠体上には１つのガイド突起（５）が突設され、差込口設置板（２）には一対のガイド溝（６）が穿設されている。ガイド突起と一対のガイド溝は、プラグ（２０）の一対の栓刃（２１）を一対の挿入孔（４）へ誘導するために設けられている。
ガイド突起（７）は、枠体の上端（１ｂ）又は下端（１ｃ）の中央から差込口設置板（２）の上端又は下端の中央へ向かって延在しかつその幅が漸次広くなるように設けられている。
一対のガイド溝（６）の各々は、一対の挿入孔（４）の各々の上下方向延長線上に位置しかつガイド突起の側壁面（７ａ）と連続する壁面（６ａ）を具備する。
【考案の効果】
【０００８】  本考案のガイド付コンセントの第１の形態においては、一対のガイドレールが枠体の端部（上端又は下端）から差込口設置板の端部（上端又は下端）まで延在し、一対のガイドレールの互いの間隔は漸次狭くなっている。従って、一対のガイドレールの端部側の間隔は広くなっているので、この間隔の広い部分において、プラグの一対の栓刃を枠体の面に当てることは容易である。そして、一対の栓刃のうち、左側の栓刃を利用する場合は、左方にずらして左側のガイドレールに当て、右側の栓刃を利用する場合は、右方にずらして右側のガイドレールに当てる。
次に、プラグの栓刃をガイドレールに当てた状態で、プラグを差込口設置板の方（下方又は上方）へ移動させる。移動の際にプラグが左右方向にぶれても、プラグの栓刃がガイドレールの内側の壁面に当たれば、それ以上左右方向に外れてしまうことはない。こうして、プラグはガイドレールに沿って誘導され、差込口設置板の端部（上端又は下端）まで到達する。
差込口設置板には、一対のガイド溝が穿設されている。各ガイド溝の壁面は、各ガイドレールの内側の壁面と連続しているので、差込口設置板の端部まで到達したプラグの栓刃は、そのまま円滑にガイド溝内へと誘導される。
一対のガイド溝は、２極差込口の一対の挿入孔の上下方向延長線上に位置している。従って、ガイド溝に沿ってプラグの栓刃を移動させれば、プラグの栓刃は挿入孔まで確実に到達することができる。【０００９】  本考案のガイド付コンセントの第２の形態においては、一つのガイド突起が枠体の端部（上端又は下端）から差込口設置板の端部（上端又は下端）まで延在し、ガイド突起の幅は漸次広くなっている。従って、ガイド突起の端部側の幅は狭くなっているので、プラグの一対の栓刃がこの幅狭部分にまたがるように、プラグの栓刃を枠体の面に当てることは容易である。そして、一対の栓刃のうち、左側の栓刃を利用する場合は、右方にずらしてガイド突起の左側の壁面に当て、右側の栓刃を利用する場合は、左方にずらしてガイド突起の右側の壁面に当てる。
次に、プラグの栓刃をガイド突起に当てた状態で、プラグを差込口設置板の方（下方又は上方）へ移動させる。移動の際にプラグが左右方向にぶれても、プラグの栓刃がガイド突起のいずれかの壁面に当たれば、それ以上左右方向に外れてしまうことはない。こうして、プラグはガイド突起に沿って誘導され、差込口設置板の端部（上端又は下端）まで到達する。
差込口設置板には、一対のガイド溝が穿設されている。各ガイド溝の壁面は、ガイド突起の側壁面と連続しているので、差込口設置板の端部まで到達したプラグの栓刃は、そのまま円滑にガイド溝内へと誘導される。
一対のガイド溝は、２極差込口の一対の挿入孔の上下方向延長線上に位置している。従って、ガイド溝に沿ってプラグの栓刃を移動させれば、プラグの栓刃は挿入孔まで確実に到達することができる。【００１０】  上記の本考案のいずれの形態においても、２極差込口の挿入孔の位置を目で確認することなく、プラグを挿入孔まで確実に誘導することができる。また、片手でこの操作を行うことができる。この結果、暗所の場合や視力の弱い人の場合であっても、容易かつ安全にプラグをコンセントの挿入孔に差し込むことができる。
【考案を実施するための最良の形態】
【００１１】  以下、実施例を示した図面を参照して、本考案の実施の形態を説明する。
図１は、本考案によるガイド付コンセントの第１の実施形態を、プラグと共に示した外観斜視図である。【００１２】  ガイド付コンセント１０は、正面形状が矩形の枠体１を有する。枠体１は、壁面に固定される。図１の紙面が壁面に相当しており、枠体１は壁面から所定の厚さだけ突出している。本明細書においては、図中の両矢印の方向を、コンセント１０の上下方向及び左右方向として説明する。枠体１の中央には矩形の開口があり、開口内に差込口設置板２が嵌め込まれ、適宜の手段で固定されている。差込口設置板２の正面は、枠体１の正面１ａよりも若干突出している。【００１３】  図１の実施例では、差込口設置板２の正面上に、上下方向に２つの２極差込口３が並設されており、いわゆる２個口コンセントである。なお、本考案は、２個口コンセントだけでなく、１個口又は３個口以上のコンセントにも、同様に適用できる。
以下では、図１のコンセント１０において上側に配置された２極差込口３について説明するが、下側に配置された２極差込口は、上下対称の関係となっているので同様である。【００１４】  ２極差込口３は、プラグ２０の一対の栓刃２１を挿入するための一対の挿入孔４からなる。一対の挿入孔４は、それぞれ上下方向に長い開口であり、互いに平行である。通常は、一方の挿入孔が接地側であり、他方の挿入孔より若干長い。各挿入口４は、差込口設置板２の正面に設けられた一対の凹部３ａのそれぞれの底面中央に開口している。【００１５】  ガイド付コンセント１０のガイド機構は、枠体１の正面上に突設された一対のガイドレール５と、差込口設置板２の正面上に穿設された一対のガイド溝６からなる。【００１６】  一対のガイドレール５の上端は、それぞれ枠体１の上端１ｂの左右端近傍に位置し、下方に向かって互いの間隔ｄ１が漸次狭くなり、差込口設置板２の上端まで延在している。差込口設置板２の上端位置における一対のガイドレール５の間隔ｄ１は、プラグ２０の一対の栓刃２１の外側面２１ａの間の間隔ｔ１と一致する。枠体１の正面１ａからのガイドレール５の突出高さは、差込操作時にプラグ２０の栓刃２１の先端部分が引っ掛かる程度であればよい。例えば、１〜２ｍｍ程度の高さであればよいが、この範囲に限定されない。ガイドレール５の内側の壁面５ａは、正面から視て滑らかな曲線形状であることが好ましい。【００１７】  一対のガイド溝６は、それぞれ差込口設置板２の上端から各凹部３ａの上端まで直線状に延在している。一対のガイド溝６は、２極差込口の一対の挿入孔４の上下方向における延長線上にそれぞれ位置する。ガイド溝６の底面は、凹部３ａの底面及び枠体１の正面１ａと滑らかに連続している。ガイド溝６の幅は、プラグ２０の栓刃２１が通過可能な幅となっている。ガイド溝６の深さは、差込操作時にプラグ２０の栓刃２１の先端部分が引っ掛かる程度であればよい。例えば、１〜２ｍｍ程度の深さであればよいが、この範囲に限定されない。【００１８】  ガイドレール５とガイド溝６とがつながる部分においては、ガイドレール５の内側の壁面５ａとガイド溝６の外側の壁面とが滑らかに連続している。【００１９】  ガイド付コンセント１０に差し込まれるプラグ２０は、通常のプラグである。一対の栓刃２１と、プラグ本体２２と、電源コード２３とを備えている。差込操作時には、一方の栓刃２１の外側面２１ａを、一方のガイドレール５の内側の壁面に当てることになる。図１中の白抜き矢印は、差込操作時のプラグ２０の移動方向を示している。【００２０】  図２は、図１のガイド付コンセント１０にプラグ２０を差込む操作を説明する図であり、図２（ａ）、（ｂ）及び（ｃ）は、図１のＸ断面、Ｙ断面及びＺ断面の位置に相当し、差込操作の過程を順次示している。【００２１】  図２（ａ）は、図１のＸ断面の位置であり、枠体１の上端と差込口設置板２の上端との間の中間位置である。一対のガイドレール５の上端近傍の間隔は広くなっているので、プラグ２０を壁面に沿って上方から下方に移動させ、一対のガイドレール５の間に位置するように、栓刃２１の先端を当てることは容易である。そして、一対の栓刃２１のうち、左側の栓��を利用する場合は、図２（ａ）に示すように左方にずらして栓刃の外側面２１ａを左側のガイドレール５の内側の壁面５ａに当てる（白抜き矢印参照）。図示しないが、右側の栓刃を利用する場合は、右方にずらして右側のガイドレールに当てる。【００２２】  次に、プラグ２０の栓刃２１をガイドレール５の一方に当てた状態で、プラグ２０を差込口設置板４の方（この場合は下方）へ移動させる。移動の際にプラグ２０が左右方向にぶれても、プラグの栓刃２１が、いずれかのガイドレール５の内側の壁面５ａに当たれば、それ以上左右方向に外れてしまうことはない。こうして、プラグ２０はガイドレール５に沿って誘導され、差込口設置板２の端部（この場合は上端）まで到達する。【００２３】  図２（ｂ）は、図１のＹ断面の位置であり、差込口設置板２の上端と凹部３ａの上端との間の中間位置である。この部分には、一対のガイド溝６が穿設されている。各ガイド溝６の外側の壁面６ａは、図２（ａ）に示した各ガイドレール５の内側の壁面５ａと連続している。従って、差込口設置板２の上端まで到達したプラグの栓刃２１は、そのまま円滑にガイド溝６内へと誘導される。ガイド溝６の幅は、栓刃２１の幅とほぼ同じである。ガイド溝６に沿って栓刃２１をさらに下方に移動させる。【００２４】  図２（ｃ）は、図１のＺ断面の位置であり、挿入孔４の位置である。図２（ｂ）に示した一対のガイド溝６は、一対の挿入孔４の上下方向延長線上に位置しているので、栓刃２１をガイド溝６に沿って移動させれば、一対の栓刃２１が一対の挿入孔４の位置に確実に到達する。その後、図２（Ｃ）に示すように、栓刃２１を挿入孔４に挿入する。【００２５】  図３は、本考案によるガイド付コンセントの第２の実施形態を、プラグと共に示した外観斜視図である。【００２６】  ガイド付コンセント１０の枠体１、差込口設置板２、２極差込口３及び挿入孔４の構成は、上述の図１に示した形態と同じであるので、説明を省略する。【００２７】  ガイド付コンセント１０のガイド機構は、枠体１の正面上に突設された１つのガイド突起７と、差込口設置板２の正面上に穿設された一対のガイド溝６からなる。図１の形態と比べると、一対のガイド溝６は同じであるが、一対のガイドレールに替えて１つのガイド突起７を設けている。なお、１つの２極差込口３に対して１つのガイド突起７を設けているので、図３の実施例では、上下２つのガイド突起７があるが、これらは上下対称の関係にあるので、以下では、上側のガイド突起７について説明する。【００２８】  ガイド突起７の上端は、それぞれ枠体１の上端１ｂの中央に位置し、下方に向かって幅ｄ２が漸次広くなり、差込口設置板２の上端まで延在している。差込口設置板２の上端位置におけるガイド突起７の幅ｄ２は、プラグ２０の一対の栓刃２１の内側面２１ｂの間の間隔ｔ２と一致する。枠体１からのガイド突起７の突出高さは、差込操作時にプラグ２０の栓刃２１の先端部分が引っ掛かる程度であればよい。例えば、１〜２ｍｍ程度の高さであればよいが、この範囲に限定されない。ガイド突起７の両側の壁面７ａは、正面から視て滑らかな曲線形状であることが好ましい。【００２９】  ガイド突起７とガイド溝６とがつながる部分において���、ガイド突起７の両側の壁面７ａとガイド溝６の内側の壁面とが滑らかに連続している。【００３０】  図３の形態における差込操作は、次の通りである。ガイド突起７の端部側の幅は狭くなっているので、プラグ２０の栓刃２１がこの幅狭部分にまたがるように、栓刃２１を枠体１の面に当てることは容易である。そして、一対の栓刃２１のうち、左側の栓刃を利用する場合は、右方にずらしてガイド突起７の左側の壁面７ａに当て、右側の栓刃を利用する場合は、左方にずらしてガイド突起７の右側の壁面７ａに当てる。【００３１】  次に、プラグ２０の栓刃２１をガイド突起７に当てた状態で、プラグ２０を差込口設置板２の方へ移動させる。移動の際にプラグ２０が左右方向にぶれても、栓刃２１がガイド突起７のいずれかの壁面に当たれば、それ以上左右方向に外れてしまうことはない。こうして、プラグ２０はガイド突起７に沿って誘導され、差込口設置板２の端部まで到達する。【００３２】  差込口設置板２には、一対のガイド溝６が穿設されている。各ガイド溝６の壁面は、ガイド突起７の側壁面と連続しているので、差込口設置板２の端部まで到達した栓刃２１は、そのまま円滑にガイド溝６内へと誘導される。図１の形態と同様に、ガイド溝６に沿ってプラグの栓刃２１を移動させれば、挿入孔４まで確実に到達することができる。【００３３】  さらに別の形態として、図１の形態のガイドレールと、図３の形態のガイド突起とを混在させてもよい。例えば、上側の２極差込口についてはガイドレールを設け、下側の２極差込口についてはガイド突起を設けてもよい。【００３４】  また、１個口コンセントにおいては、上下両方に本考案のガイド機構を設ければよい。３つ以上の２極差込口をもつコンセントに対しては、最上位置の２極差込口と最下位置の２極差込口に本考案のガイド機構を設け、さらに中間位置の２極差込口については隣同士の間にガイド溝を設けれてもよい。【００３５】  一般的なコンセントの枠体１や差込口設置板２はプラスチック製であり、成型加工により製造されるので、本考案におけるガイドレール５、ガイド突起７及びガイド溝６は、枠体や差込口設置板２と一体的に成型加工することが好ましい。
【図面の簡単な説明】
【００３６】
【図１】本考案によるガイド付コンセントの第１の実施形態を、プラグと共に示した外観斜視図である。
【図２】図１のガイド付コンセントにプラグを差込む操作を説明する図であり、（ａ）、（ｂ）及び（ｃ）は、図１のＸ断面、Ｙ断面及びＺ断面の位置に相当し、差込操作の過程を順次示している。
【図３】本考案によるガイド付コンセントの第２の実施形態を、プラグと共に示した外観斜視図である。
【符号の説明】
【００３７】１：枠体、１ａ：枠体正面、１ｂ：枠体上端、１ｃ：枠体下端
２：差込口設置板
３：２極差込口、３ａ：凹部
４：挿入孔
５：ガイドレール、５ａ：内側壁面
６：ガイド溝、６ａ：外側壁面
７：ガイド突起、７ａ：側壁面
１０：コンセント
２０：プラグ
２１：栓刃、２１ａ：栓刃外側面、２１ｂ：栓刃内側面
２２：プラグ本体、２３：電源コード
【図１】
0003141674.tif 000003
【図２】
0003141674.tif 000004
【図３】
0003141674.tif 000005